(57)【要約】【課題】圧縮機および圧縮機駆動装置を冷蔵庫等の機器に取り付ける場合、圧縮機および圧縮機駆動装置のアース接続をそれぞれ個別に行わなければならない。【解決手段】圧縮機駆動装置１２を圧縮機１の側面に取り付けると伴に、複数の端子部を持つアース金具３６を圧縮機駆動装置１２のプリント基板１６に実装し、このアース金具３６と圧縮機１のアース端子をアース線で接続すると伴に、このアース線を圧縮機駆動装置のケース内に収納するようにしたものであり、大地アースに接続するアース線の本数を少なくすることができ、圧縮機駆動装置１２および圧縮機１の冷蔵庫等の機器への組み込みを簡単に行うことができる。  また、圧縮機１のアース線を圧縮機駆動装置１２のケース内に収納できることで安全性が向上し、かつコンパクトな圧縮機駆動装置１２を実現することができる。【選択図】図１
2014173485.tif 000002
【特許請求の範囲】
【請求項１】
圧縮機を駆動する駆動回路とアース接続必要回路を実装したプリント基板と、
接続端子部と固着端子部とを有するとともに前記固着端子部が前記プリント基板のアース接続必要回路と電気接続されるアース金具と、
前記アース金具と圧縮機のアース端子とを電気接続するアースコードとを備え、
前記アース金具と前記アースコードを介して圧縮機が大地アースに接続される圧縮機駆動装置。
【請求項２】
圧縮機の側面に取り付けられ前記プリント基板を収納するとともに圧縮機との電気接続コードを収納するコード収納部を有する収納ケースを備え、
前記プリント基板を前記収納ケースに取り付けた状態で、前記アース金具の前記接続端子部の少なくとも１つが前記コード収納部側に露出する状態となり、
前記コード収納部側から前記アースコードを前記アース金具に接続可能である請求項１に記載の圧縮機駆動装置。
【請求項３】
前記アース金具は前記プリント基板に実装した場合に、前記プリント基板の前記固着端子部側に突出するフック部を有し、
前記フック部を変形させることにより前記プリント基板に固定される請求項１または２に記載の圧縮機駆動装置。
【請求項４】
請求項１から３のいずれか一項に記載の圧縮機駆動装置を備えた圧縮機。
【発明の詳細な説明】
【技術分野】
【０００１】
本発明は、冷蔵庫等に取付けられる圧縮機駆動装置および圧縮機のアース接続仕様に関するものである。
【背景技術】
【０００２】
従来、圧縮機は内部にモータ等の電気回路を収納しており、感電に対する防御策として金属の外郭にアース端子が設けられており、このアース端子を大地アースに接続する安全アースの方法がとられてきた。
【０００３】
また、インバータ圧縮機を駆動する駆動装置においては、インバータノイズの低減するためにフィルター回路を内蔵しており、そのフィルター回路のアース端子を大地アースに接続する機能アースの方法がとられてきた（例えば特許文献１参照）。
【０００４】
以下、図面を参照しながら上記従来の圧縮機駆動装置および圧縮機のアース接続仕様を説明する。
【０００５】
図７は特許文献１に記載された従来の圧縮機駆動装置および圧縮機のアース接続仕様を示した側面図である。
【０００６】
図７において、１００は密閉型の圧縮機であり、側面に板金折り曲げ加工で成型されたブラケット１０４が溶接により取り付けられている。
【０００７】
ブラケット１０４にはアース端子１０８が溶接により取り付けられており、圧縮機１００と電気的に導通している。
【０００８】
１１２はアースコードＣであり、片側先端にはセプタクル１１２ａが取り付けられており、反対側は大地アースに接続される。
セプタクル１１２ａをアース端子１０８に接続することにより、圧縮機１００が大地アースに接続される。
【０００９】
１１６は圧縮機駆動装置であり、内部に駆動回路およびフィルター回路を実装したプリント基板１２０を持っている。
【００１０】
プリント基板１２０には電源コネクタ１２４が実装されていることに加え、出力コネクタ１２８とアースコネクタ１３２が実装されている。
【００１１】
電源コネクタ１２４は電源コード１３６が接続され、アースコネクタ１３２にはアースコードＰ１４０が接続されるが、アースコードＰ１４０は大地アースに接続されており、そのことによってプリント基板１２０のフィルター回路等が大地アースに接続されている。
【００１２】
出力コネクタ１２８には出力コード１４４が接続されているが、この出力コード１４４の反対側にはクラスタブロック１４８が取り付けられており、このクラスタブロック１４８は圧縮機１００の側面に設けられたターミナル１５２に接続されている。
【００１３】
アースコードＣ１１２および出力コード１４４はコードクランプ１５６と固定ネジ１６０にてブラケット１０４に固定されており、これらのコードが引っ張られてもターミナル
１５２やアース端子１０８の接続部に応力が加わらないようになっている。
【００１４】
また、これらの接続部はカバー１４８にて覆われており、内部の電気接続部に直接手が触れないようになっている。
【００１５】
以上のように構成された圧縮機駆動装置および圧縮機のアース接続仕様について、以下その動作を説明する。
【００１６】
圧縮機駆動装置１１６が動作すると出力コード１４４を経由して駆動電力が圧縮機１００に供給され圧縮機１００が動作するが、圧縮機１００の外郭はアース端子１０８およびアースコードＣ１１２により大地アースに接続されている（安全アース）ため、絶縁不良による感電に対して保護された状態で圧縮機１００を運転することができる。
【００１７】
また、圧縮機駆動装置１１６が動作するとスイッチングノイズが発生するが、圧縮機駆動装置１１６にはフィルター回路が内蔵されており、このフィルター回路がアースコネクタ１３２およびアースコードＰ１４０により大地アースに接続されている（機能アース）ため、スイッチングノイズを低減し、電源コード１３６から外部に出るスイッチングノイズを低減して圧縮機１００を運転することができる。
【先行技術文献】
【特許文献】
【００１８】
【特許文献１】特開平２００２−２６６７６１号公報
【発明の概要】
【発明が解決しようとする課題】
【００１９】
しかしながら、上記従来の構成では、圧縮機駆動装置および圧縮機を冷蔵庫等の機器に取り付ける際、アースコードＣ１１２とアースコードＰ１４０の両方夫々を冷蔵庫の本体シャーシ等の大地アースに接続された金属筐体にする必要があり、組立て作業が複雑となるという課題を有していた。
【００２０】
本発明は、上記従来の課題を解決するもので、冷蔵庫等の機器への組み込みを簡単に行うことができる圧縮機駆動装置および圧縮機を提供することを目的としている。
【課題を解決するための手段】
【００２１】
上記従来の課題を解決するために、本発明の圧縮機駆動装置および圧縮機のアース接続仕様は、圧縮機駆動装置を圧縮機の側面に取り付けると伴に、複数の端子部を持つアース金具を圧縮機駆動装置のプリント基板に実装し、このアース金具と圧縮機のアース端子をアース線で接続すると伴に、このアース線を圧縮機駆動装置のケース内に収納するようにしたものであり、大地アースに接続するアース線の本数を少なくすることができ、圧縮機駆動装置および圧縮機の冷蔵庫等の機器への組み込みを簡単に行うことができる。
【００２２】
また、圧縮機のアース線を圧縮機駆動装置のケース内に収納できることで安全性が向上し、かつコンパクトな圧縮機駆動装置を実現することができるという作用を有する。
【発明の効果】
【００２３】
本発明の圧縮機駆動装置および圧縮機冷蔵庫等の機器への組み込みを簡単に行うことができる。
【図面の簡単な説明】
【００２４】
【図１】本発明の実施の形態１における圧縮機駆動装置および圧縮機のアース接続仕様の分解斜視図
【図２】同実施の形態における圧縮機駆動装置の圧縮機側からの斜視図
【図３】同実施の形態におけるプリント基板の部品面側の斜視図
【図４】同実施の形態におけるプリント基板のはんだ面側の斜視図
【図５】同実施の形態におけるアース金具の斜視図
【図６】同実施の形態における圧縮機駆動装置および圧縮機のアース接続仕様の回路ブロック図
【図７】従来の圧縮機駆動装置および圧縮機のアース接続仕様の側面図
【発明を実施するための形態】
【００２５】
第１の発明は、圧縮機を駆動する駆動回路とアース接続必要回路を実装したプリント基板と、複数の接続端子部と固着端子部を持ち、前記固着端子部がプリント基板のアース接続必要回路と電気接続されるアース金具と、前記アース金具と圧縮機のアース端子を電気接続するアースコードを備え、前記アース金具とアースコードを介して圧縮機が大地アースに接続されるようにしたものであるから、圧縮機駆動装置および圧縮機を冷蔵庫等の機器に取り付ける際に、アース金具を大地アースに接続するだけで圧縮機駆動装置と圧縮機の両方を大地アースに接続することができ、冷蔵庫等の機器への圧縮機駆動装置および圧縮機の取付け工数を低減することが出来る。
【００２６】
また、圧縮機のアース線を圧縮機駆動装置のケース内に収納できることで安全性が向上し、かつコンパクトな圧縮機駆動装置を実現することができる。
【００２７】
第２の発明は、圧縮機の側面に取り付けられると伴に、前記プリント基板を収納し、圧縮機との電気接続コードを収納するコード収納部を持つ収納ケースを備え、プリント基板を収納ケースに取り付けた状態で、前記アース金具の接続端子の少なくとも１つが、コード収納部側に露出する状態となり、コード収納部側からアースコードをアース金具に接続できると伴にアースコードをコード収納部に収納できるようにしたものである。
【００２８】
これにより、アースコードの取り付け作業をプリント基板が収納ケースに納められた状態でできるため、圧縮機駆動装置および圧縮機の組立て作業を簡単に行うことが出来るとともに、圧縮機駆動装置を圧縮機に取り付けたときにアースコードは収納ケースの中に納められており、外部から手で触れられることがないため、安全性が向上し、さらにアースコードをクランプ固定する必要はなく、冷蔵庫等の機器への圧縮機駆動装置および圧縮機の取付けを簡単に行うことが出来る。
【００２９】
第３の発明は、アース金具はプリント基板に実装したときにプリント基板の固着端子部側に突き出るフック部を持ち、このフック部をプリント基板の実装面と水平方向にねじることにより、アース金具をプリント基板に簡単に固定されるようにしたものであるから、はんだ付け以外の手段でもアース金具をプリント基板に確実に固定できるため、はんだ割れ等が起こった場合でも圧縮機の安全アースを確保することが出来、感電に対する信頼性を向上することができる。
【００３０】
以下、本発明の実施の形態について、図面を参照しながら説明する。なお、この実施の形態によってこの発明が限定されるものではない。
【００３１】
（実施の形態１）
図１は本発明の実施の形態１における圧縮機駆動装置および圧縮機のアース接続仕様の分解斜視図、図２は同実施の形態における圧縮機駆動装置の圧縮機側からの斜視図、図３は同実施の形態におけるプリント基板の部品面側の斜視図、図４は同実施の形態におけるプリント基板のはんだ面側の斜視図、図５は同実施の形態におけるアース金具の斜視図、
図６は同実施の形態における圧縮機駆動装置および圧縮機のアース接続仕様の回路ブロック図である。
【００３２】
図１から図６において、１は密閉型の金属外郭を持つ圧縮機であり、側面に板金折り曲げ加工で成型されたブラケット４が溶接により取り付けられている。
【００３３】
ブラケット４にはアース端子８が溶接により取り付けられており、圧縮機１と電気的に同通している。
【００３４】
圧縮機駆動装置１２は、プリント基板１６と収納ケース２０およびアルミプレート２４等で構成されている。
【００３５】
収納ケース２０は内部にプリント基板１６を収納した状態で開口部をアルミプレート２４で塞口して固定ネジ２８により固定されている。
【００３６】
プリント基板１６には圧縮機１をスイッチング駆動する駆動回路１６ｂの部品である半導体素子３２が固着端子部側であるはんだ面側１６ｂに、大地アースに接続されるアース金具３６が部品面側であるフィルター回路１６ａにはんだ付けにより実装されている他、出力コネクタ１７および電源入力コネクタ１８も実装されており、アース接続必要回路であるフィルター回路１６ａおよび駆動回路１６ｂも実装されている。
【００３７】
アース金具３６は接続端子部である圧縮機側端子３６ａと同じく接続端子部である大地アース側端子３６ｂと固着端子部であるはんだ付け端子３６ｃおよびフック部３６ｄを有しており、プリント基板１６の挿入穴に挿入された後、フック部３６ｄをプリント基板１６のはんだ面１６ｂと水平方向に捻ってクリンチすることで変形させることによりプリント基板１６に固定されている。
【００３８】
また、アース金具３６のはんだ付け端子３６ｃはプリント基板１６にはんだ付けされ固着端子部を形成しており、プリント基板１６のフィルター回路１６ａに電気接続されているが、勿論フック部３６ｄもプリント基板１６にはんだ付けされて、フィルター回路１６ａに電気接続されても構わない。
【００３９】
また、アース金具３６の大地アース側端子３６ｂは大地アースに接続される。
【００４０】
半導体素子３２もプリント基板１６に固着手段としてはんだ付け実装されているが、半導体素子３２には放熱プレート４０が半導体固定ネジ４４にて密着して取り付けられている。
【００４１】
この放熱プレート４０はプリント基板１６を収納ケース２０に収納し、アルミプレート２４で塞口したときにアルミプレート２４と面接触するようになっている。
【００４２】
収納ケース２０の圧縮機側にはコード収納部２０ａがあり、このコード収納部２０ａの奥面には貫通口２０ｂがあると伴に、プリント基板１６を収納ケース２０に収納した状態でアース金具３６の圧縮機側端子３６ａがこの貫通口２０ｂから圧縮機１側に突出した状態になっている。
【００４３】
アースコード４８は、両側の先端に接続用のリセプタクル端子４８ａが取り付けられており、アース金具３６の圧縮機側端子３６ａと圧縮機１に取り付けられたアース端子８を電気接続する。
【００４４】
アース金具３６とアース端子８をアースコード４８で接続した状態で圧縮機駆動装置１２を圧縮機１に取り付けるが、この際、アースコード４８および出力コネクタ１７と圧縮機１のターミナル１ａを電気接続する出力コード４９をコード収納部２０ａの内部に収納するようにして、ブラケット４の折り曲げ部４ａが収納ケース２０の架かり部２０ｃに勘合するようにして取り付け、収納ケース２０のケース固定穴２０ｄとブラケット４の固定ネジ穴４ｂをケース固定ネジ５２にて固定するようになっている。
【００４５】
以上のように構成された圧縮機駆動装置および圧縮機のアース接続仕様について、以下その動作、作用を説明する。
【００４６】
まず、電源入力コネクタ１８から供給された電力はフィルター回路１６ａを経由して駆動回路１６ｂに供給される。
【００４７】
駆動回路１６ｂは出力コード４９を介して圧縮機１を駆動するが、その際に半導体素子３２が発熱する。
【００４８】
この熱は放熱プレート４０を介してアルミプレート２４に熱伝導し、収納ケース２０の外部に放熱されるため、半導体素子３２が熱破壊することはない。
【００４９】
また、圧縮機１が駆動される際に圧縮機１内部の回路に通電されるが、圧縮機１の金属外郭はアース端子８とアースコード４８およびアース金具３６を介して大地アースに接続されているため、感電対する安全を担保する安全アースがなされており、安全に運転することが出来る。
【００５０】
また、半導体素子３２が動作するとスイッチングノイズが発生するが、アース金具３６を介して大地アースに接続されたフィルター回路１６ａによりスイッチングノイズが電源入力コネクタ１８から外部へ放出するのを防止ししながら圧縮機１を駆動している。
【００５１】
以上のように本実施の形態においては、複数の接続端子部とはんだ付け端子部を持つアース金具３６をプリント基板１６にはんだ付け実装し、このアース金具３６を介してフィルター回路１６ａと圧縮機１を大地アースに接続することができ、冷蔵庫等の機器への圧縮機駆動装置および圧縮機の取付けを簡単に行うことが出来る。
【００５２】
アース金具３６を収納ケース２０に取り付ける案もあるが、この場合にはアース金具３６とプリント基板１６のフィルター回路１６ａを接続する接続コードが必要になるため、本発明の圧縮機駆動装置および圧縮機のアース接続仕様の方が勝れている。
【００５３】
また、アース金具３６の接続端子の少なくとも１つが、コード収納部側に露出する状態となり、コード収納部２０ａ側からアースコード４８をアース金具３６に接続できるため、プリント基板１６を収納ケース２０に取り付ける前にアースコード４８をアース金具３６に取り付けておく必要がなく、圧縮機駆動装置１２の組立てを簡単にできると伴に、収納ケース２０を圧縮機１の側面に取り付けた状態で、アースコード４８がコード収納部２０ａの中に収納され収納ケース２０の外部から手で触れられることがないため、安全性が確保されるとともにアースコードをクランプ固定する必要はなく、冷蔵庫等の機器への圧縮機駆動装置および圧縮機の取付け工数を低減することが出来る。
【００５４】
また、圧縮機１のアース線を圧縮機駆動装置１２の収納ケース２０内に収納できることで安全性が向上し、かつコンパクトな圧縮機駆動装置１２を実現することができる。
【００５５】
また、アース金具３６は、フック部３６ｄをプリント基板１６の実装面と水平方向にね
じることによりプリント基板１６に簡単に固定できるから、はんだ付け以外の手段でもアース金具を３６プリント基板１６に確実に固定できるため、はんだ割れ等が起こった場合でも圧縮機１の安全アースを確保することが出来、感電に対する信頼性を向上することができる。
【産業上の利用可能性】
【００５６】
以上のように、本発明にかかる圧縮機駆動装置および圧縮機のアース接続は、圧縮機駆動装置の組立てを簡素化すると伴に、冷蔵庫等の機器への圧縮機駆動装置および圧縮機の取付け工数を低減することが出来ると伴に、安全に対する信頼性を向上することができるので、アース接続を有する他の装置にも適用することができる。
【符号の説明】
【００５７】
１  圧縮機
８  アース端子
１２  圧縮機駆動装置
１６  プリント基板
１６ａ  フィルター回路
２０  収納ケース
２０ａ  コード収納部
３６  アース金具
３６ａ  圧縮機側端子
３６ｂ  大地アース側端子
３６ｃ  はんだ付け端子部（固着端子部）
３６ｄ  フック部
４８  アースコード
【図１】
2014173485.tif 000003
【図２】
2014173485.tif 000004
【図３】
2014173485.tif 000005
【図４】
2014173485.tif 000006
【図５】
2014173485.tif 000007
【図６】
2014173485.tif 000008
【図７】
2014173485.tif 000009